(57)【要約】【課題】  縦がけで携行しても肩から滑り落ちにくく、肩かけ部分が引き延ばされてしまって携行中に上下運動を起こしにくく、使用中肩に食い込むことによる肩こりの原因となりにくく、かつ、デザイン的にファッションを気にかける女性にも受け入れられやすい肩かけ用ストラップ及び該ストラップを備えたショルダーバッグを提供する。【解決手段】  長手方向と短手方向を有する帯状部材の両端にバッグ等を吊下げる着脱自在の係止具を備える肩かけ用ストラップであって、前記帯状部材は、長手方向の伸長性が乏しく短手方向の身長性に富む布状部材からなるように構成する。【選択図】        図１
2019013640.tif 000002
【特許請求の範囲】
【請求項１】
長手方向と短手方向を有する帯状部材の両端にバッグ等を吊下げる着脱自在の係止具を備える肩かけ用ストラップであって、
前記帯状部材は、長手方向の伸長性が乏しく短手方向の伸長性に富む布状部材からなることを特徴とする肩かけ用ストラップ。
【請求項２】
長手方向の伸長率が１１５％以内であり、短手方向の伸長率が１５０％以内であることを特徴とする請求項１に記載の肩かけ用ストラップ。
【請求項３】
長手方向の長さが９００ｍｍ以上１２００ｍｍ以下であり、短手方向の長さが１２５ｍｍ以上１７５ｍｍ以下であることを特徴とする請求項１又は請求項２のいずれか1項に記載の肩かけ用ストラップ。
【請求項４】
請求項１乃至請求項３のいずれか１項に記載の肩かけ用ストラップを備えるショルダーバッグ。
【発明の詳細な説明】
【技術分野】
【０００１】
本発明は、肩かけ用ストラップ及び該ストラップを備えたショルダーバッグに関する。
【背景技術】
【０００２】
書類カバンやボストンバッグなど、手で携行するかばん類は、片手で提手を握って運ぶため、片手がふさがってしまう上に、内容物が多くなると手にかかる荷重が大きく、あまり多くの内容物を運ぶことができないという欠点がある。それに対し、ショルダーバッグは、肩でストラップを支えるので、両手が空く上に、提手で待つバッグに比べて多くの内容物を収納することができるという利点がある。
【０００３】
しかし、肩でストラップを支える行為は、手で提手を握っているときのようにストラップを把持しているわけではないので、肩から滑り落ちるという欠点がある。斜めがけにすれば、そのようなことはなくなるが、特にファッションを気にかける女性の場合、斜めがけは子どもっぽい印象やカジュアルすぎる印象を与えるため、縦がけで携行することをこのむ傾向があるという問題があった。また、バッグの中身が重くなるとストラップが肩に食い込み、肩こりの原因となるという問題もあった。
【０００４】
そのような問題を解決するために、摩擦性の高い伸縮性部材からなる肩掛け部と、伸縮性の低い部材で構成されて前記肩掛け部に連結され、その端部に加えられる荷重を前記肩掛け部に作用させる吊り部とを備えたことを特徴とする肩掛け用ストラップ（特許文献１）が知られている。
【先行技術文献】
【特許文献】
【０００５】
【特許文献１】実登第３０９９１０４号公報
【発明の概要】
【発明が解決しようとする課題】
【０００６】
しかし、特許文献１のストラップは、肩かけ部分が長手方向に伸縮性の強い部材からなることから、ストラップの長手方向の伸縮性が大きく、特に重い荷物をかばんに収納した場合、肩かけ部分が引き延ばされてしまい、携行中に上下運動を起こしやすく歩きにくかったり、バッグの内容物が破損する危険がある上に、デザイン的にアウトドアやカジュアル向きであって、ファッションを気にかける女性向きではないという問題がある。
【０００７】
本発明はこのような事情に鑑みてなされたものであり、縦がけで携行しても肩から滑り落ちにくく、肩かけ部分が引き延ばされてしまって携行中に上下運動を起こしにくく、使用中肩に食い込むことによる肩こりの原因となりにくく、かつ、デザイン的にファッションを気にかける女性にも受け入れられやすい肩かけ用ストラップ及び該ストラップを備えたショルダーバッグを提供することを目的とする。
【課題を解決するための手段】
【０００８】
このような目的に応えるために、本発明に係る肩かけ用ストラップは、長手方向と短手方向を有する帯状部材の両端にバッグ等を吊下げる着脱自在の係止具を備える肩かけ用ストラップであって、前記帯状部材は、長手方向の伸長性が乏しく短手方向の伸長性に富む布状部材からなることを特徴とする。
【０００９】
このような構成によれば、肩かけ用ストラップの長手方向の伸縮性が乏しいため、歩行により生じる振動によりストラップが伸縮してストラップより吊下げられたバッグ本体が大きく振動することがなく安定して肩から吊下げることができる上に、短手方向の伸縮性に富むことでストラップが使用者の方から上腕部を覆うように吊下げることができ、ストラップが滑り落ちにくく、ストラップが肩に食い込みにくいので、縦がけにしても安定してバッグ本体を肩から吊下げることができ、肩こりの原因にもなりにくいという利点がある。
【００１０】
このような目的に応えるために、本発明に係る肩かけ用ストラップは、長手方向の伸長率が１１５％以内であり、短手方向の伸長率が１５０％以内であることを特徴とする。
【００１１】
このような構成によれば、長手方向の伸長率があまりないことによりバッグの振動防止効果が高まる上に、長手方向のわずかな伸長率と短手方向の伸長率の相乗効果により滑り落ち防止効果が高まるという利点がある。
【００１２】
このような目的に応えるために、本発明に係る肩かけ用ストラップは、長手方向の長さが９００ｍｍ以上１２００ｍｍ以下であり、短手方向の長さが１２５ｍｍ以上１７５ｍｍ以下であることを特徴とする。
【００１３】
このような構成によれば、主な使用者層である女性の平均身長が１５３ｃｍ〜１６３ｃｍであることに鑑み、本発明に係る肩かけ用ストラップによって吊下げられるバッグを快適に保持することができるという利点がある。
【００１４】
このような目的に応えるために、本発明に係るショルダーバッグは、上記肩掛け用ストラップを備えた構成であることを特徴とする。
【００１５】
このような構成によれば、本発明に係るショルダーバッグは、振動が少なく滑り落ちしにくいので、縦がけでも安定して保持することができ、ストラップが肩に食い込むことが原因の肩こりにもなりにくいという利点がある。
【発明の効果】
【００１６】
以上説明したように、本発明に係る肩かけ用ストラップ及びショルダーバッグは、歩行中の振動が少なく保持しやすい上に、肩から上腕部にフィットするので縦がけでも滑り落ちにくく、ストラップが肩に食い込むことが原因の肩こりにもなりにくいという機能を備えながら、特に女性向けのファッション性も備えることができるという利点がある。
【図面の簡単な説明】
【００１７】
【図１】本発明に係る肩かけ用ストラップの通常の状態を示す図である。
【図２】本発明に係る肩かけ用ストラップの短手方向を伸長させた状態本発明に係る肩かけ用ストラップの通常の状態図である。
【図３】本発明に係る肩かけ用ストラップの使用状態を示した図である。
【発明を実施するための形態】
【００１８】
本発明は以上のような構成であるので、これを図面に基づきながら本発明の実施の形態を説明する。
【００１９】
図１は、本発明の実施の形態であり、全体記号１で表すのは、本発明に係る肩かけ用ストラップに張力を加えない状態の平面図である。
【００２０】
肩かけ用ストラップ１の本体は長手方向と短手方向を備える帯状体１０であり、長手方向の両端に綴じ具１１が設けられ、綴じ具１１はリング１２を綴じ込んでおり、綴じ具１１にはリング１２を介してフック１３が取り付けられている。
【００２１】
フック１３を介してショルダーバッグに取り付けることができ、着脱自在の構成であるので、バッグ本体のデザインに合わせて、帯状体１０の色彩や模様のバリエーション商品を展開することができる。また、リングの数を調節することにより、ストラップ全体の長さを調節することもできる。
【００２２】
帯状体１０の長手方向の長さは、主な使用者層である女性の平均身長が１５３ｃｍ〜１６３ｃｍであることに鑑み、９００ｍｍ以上１２００ｍｍ以下であることが望ましい。また、いくつかの長さのバリエーション商品を展開することもできる。
【００２３】
図２において、図１の帯状体１０の短手方向を引き延ばすように張力を加えている。帯状体１０が短手方向への伸長性を備えることで、肩の上部から肩の付け根にかけて、フィットすることで、ストラップのずり落ちを防止し、特になで肩の使用者にとって、滑り落ちる不安のない快い使用感を与えることができ、また、ストラップが肩に食い込むことが原因の肩こりにもなりにくい。短手方向の伸長率が大きすぎると、肩から二の腕全体を覆うようになってしまいデザイン性を損ねるので、短手方向の伸長率は１５０％以内であることが望ましい。
【００２４】
帯状体１０の長手方向の伸長性が大きすぎると、歩行により生ずる振動が増幅されて、ショルダーバッグが大きく揺れるようになり、使用に際し不安定感を感じたり、バッグの中身が散らかった李破損したりすることも考えられる。しかし、長手方向に伸長性を全く備えていないと、肩の付け根部分を中心にフィット感が損なわれる。そこで、長手方向に伸長性は備えるものの伸長率は１１５％以内であることが望ましい。
【００２５】
図３において、肩かけ用ストラップ１をショルダーバッグに取り付け、縦がけで使用している状態を示す。帯状体１０の両端に設けられた綴じ部１１で綴じ込んだリング１２にフック１３を取り付け、フック１３を介して、バッグ本体２０に取り付けられたリング２１を吊下げる。この際、帯状体１０の短手方向が伸長し、長手方向もわずかに伸長することで、使用者の肩の上部から肩の付け根にかけてフィットし、縦がけでも安定して保持することができる。この帯状体に長手方向もわずかに伸長することで、を引き延ばすように張力を加えている。肩かけ用ストラップ１とともに、肩かけ用ストラップ１とバッグ本体２０とにより構成されるショルダーバッグも、本発明の範囲内である。
【００２６】
なお、本発明は上述した実施の形態で説明した構造には限定されず、各部の形状、構造等を適宜変形、変更し得ることはいうまでもない。
例えば、綴じ具１１に長さ調節手段を備えて、いくつかの長さのバリエーション商品を展開しなくても、使用者の身長に合わせるように構成したものも、本発明の範囲内である。
【産業上の利用可能性】
【００２７】
バッグだけでなく、スチルカメラ、ビデオカメラ等の撮影用機器をはじめ、各種の肩かけベルトを備える機器を携行する用途にも適用できる。
【符号の説明】
【００２８】
１    肩かけ用ストラップ
１０  帯状体
１１  綴じ部
１２  リング
１３  フック
２０  バッグ本体
２１  リング
【図１】
2019013640.tif 000003
【図２】
2019013640.tif 000004
【図３】
2019013640.tif 000005